(57)【要約】【課題】給湯器制御装置において、ＲＡＭ値の書き換えプログラムの削除を行うことなく、ＲＡＭ値の書き換え機能を使用できないようにする。【解決手段】ＲＯＭ４に記憶されているマイコン品番５に所定のキーワードがあるとＲＡＭ書き換え機能を有効とし、マイコン品番５に所定のキーワードが無いとＲＡＭ書き換え機能を無効にすることで、開発段階では所定のキーワードを有するマイコン品番とし、量産用のマイコンについて所定のキーワードの無い品番に変更することでＲＡＭ書き換え機能を使用できなくなるようにした。【選択図】      図１
2004169979.tif 000002
【特許請求の範囲】
【請求項１】
外部からの操作でＲＡＭの値を書き換えるプログラムと、マイコン品番を記憶しているＲＯＭを備え、ＲＯＭのマイコン品番に所定のキーワードがあるとＲＡＭの値の書き換えを有効にするようにした給湯器制御装置。
【請求項２】
外部からの操作でＲＡＭの値を書き換えるプログラムと、ＲＡＭの値の書き換えを有効にする入力手段を備えた給湯器制御装置。
【請求項３】
外部からの操作でＲＡＭの値を書き換えるプログラムと、ＲＡＭの値の書き換えを有効にする入力手段を有するリモコンを備えた給湯器制御装置。
【請求項４】
外部からの操作でＲＡＭの値を書き換えるプログラムと、ＲＡＭの値の書き換えを有効にする入力手段を備えたＲＡＭ値の書き換え装置からなる給湯器制御装置。
【請求項５】
外部からの操作でＲＡＭの値を書き換えるプログラムと、ＲＡＭの値の書き換えを電源投入から所定時間経過するまで有効にする手段を備えた給湯器制御装置。
【発明の詳細な説明】
【０００１】
【発明の属する技術分野】
本発明は給湯器制御装置に関し、特に機器組み込みマイコンを搭載した給湯器制御装置に関するものである。
【０００２】
【従来の技術】
従来、給湯器の商品開発の段階では外部からの操作でＲＡＭの値を書き換えるプログラムが入ったマイコンで給湯器制御を行い、ＲＡＭの値を書き換える機能を活用することで開発や評価を効率良く行っている。また、万一誤った値にＲＡＭ値を書き換えてしまうと給湯器制御が正常使用とは異った誤動作する恐れがあるため、商品を市場へ出荷する量産品を作る際には、ＲＡＭ値の書き換え機能を使用できないようにＲＡＭ値書き換えのプログラムを削除していた。また、上記内容とは異なるが、メモリーへの書き込みを禁止する手段を有したものがある（例えば、特許文献１参照。）。
【０００３】
【特許文献１】
特開平１０−３２５５９６号公報
【０００４】
【発明が解決しようとする課題】
しかしながら、上記従来の給湯器制御装置の構成では、商品開発の全ての評価が完了してから、ＲＡＭ書き換えプログラムの削除を行うため、プログラム変更作業による手間が必要であり、また変更後に再度正しく変更されたことの確認が必要であるという問題があった。
【０００５】
本発明は、上記従来の問題を解消して、ＲＡＭ値の書き換えプログラムの削除を行うことなく、ＲＡＭ値の書き換え機能を使用できないようにできる給湯器制御装置を提供することを目的とする。
【０００６】
【課題を解決するための手段】
本発明の請求項１に記載の給湯器制御装置は、外部からの操作でＲＡＭの値を書き換えるプログラムと、マイコン品番を記憶しているＲＯＭを備え、ＲＯＭのマイコン品番に所定のキーワードがあるとＲＡＭの値の書き換えを有効にするようにしたものである。
【０００７】
このような構成により、商品開発の段階では外部からの操作でＲＡＭの値を書き換えるプログラムが入ったマイコンで給湯器制御を行い、マイコン品番には所定のキーワードを入れた品番を記憶しておくと、ＲＡＭの値の書き換えが有効となり、ＲＡＭ値書き換え機能を活用することで開発や評価を効率良く行うことができる。そして、商品を市場へ出荷する量産品を作る際には、マイコン品番を量産用の名称に変更し、所定のキーワードを入れないことで、ＲＡＭ書き換えプログラムの削除を行わなくともＲＡＭ値書き換え機能を使用できないようにすることができる。
【０００８】
本発明の請求項２に記載の給湯器制御装置は、外部からの操作でＲＡＭの値を書き換えるプログラムと、ＲＡＭ値の書き換えを有効にする入力装置を備えたものである。
【０００９】
このような構成により、入力装置の操作でＲＡＭの値の書き換え機能を有効にし、外部からの操作でＲＡＭの値を書き換えることができる。
【００１０】
本発明の請求項３に記載の給湯器制御装置は、外部からの操作でＲＡＭの値を書き換えるプログラムと、ＲＡＭ値の書き換えを有効にする入力手段を有するリモコンを備えたものである。
【００１１】
このような構成により、リモコンの操作でＲＡＭの値の書き換え機能を有効にし、外部からの操作でＲＡＭの値を書き換えることができる。
【００１２】
本発明の請求項４に記載の給湯器制御装置は、外部からの操作でＲＡＭの値を書き換えるプログラムと、ＲＡＭ値の書き換えを有効にする入力手段を有するＲＡＭ値の書き換え装置を備えたものである。
【００１３】
このような構成により、ＲＡＭ値書き換え装置のＲＡＭ値書き換えを有効にする入力手段の操作でＲＡＭの値の書き換え機能を有効にし、外部からの操作でＲＡＭの値を書き換えることができる。
【００１４】
本発明の請求項５に記載の給湯器制御装置は、外部からの操作でＲＡＭの値を書き換えるプログラムと、ＲＡＭ値の書き換えを電源投入から所定時間経過するまで有効にする手段を備えたものである。
【００１５】
このような構成により、電源投入から所定時間経過するまではＲＡＭ値書き換えを有効とし、所定時間経過後はＲＡＭ値書き換えを無効とするものである。
【００１６】
【発明の実施の形態】
以下、本発明の各実施形態について図１〜図７を参照して説明する。
【００１７】
（第１の実施形態）
本発明の第１の実施形態の給湯器制御装置について、図１〜図３を参照して説明する。
【００１８】
図１において、１は給湯器、２は給湯器制御装置、３はＲＡＭ、４はＲＯＭ、５はＲＯＭ内に記憶されたマイコン品番、６はＣＰＵ、７はＲＡＭリード・ライト装置である。
【００１９】
給湯器１は給湯器制御装置２を備え、給湯機能やお湯張り、沸きあげなどの風呂機能、床暖房などに温水を供給する暖房機能などを行うことができるものである。また、給湯器制御装置２は、ＲＡＭ３、ＲＯＭ４、ＣＰＵ６を備えており、ＣＰＵ６が、ＲＯＭ４の格納されたプログラムに基づいてＲＡＭ３を使用し演算などを行って各種機能を制御している。
【００２０】
また、ＲＡＭリード・ライト装置７は、ＲＡＭ３の値読み出しと書き換えを行うための外部装置で、給湯器制御装置２に信号線を含むケーブルで接続可能な構成となっており、給湯器制御装置２と通信プロトコルを合わせてデータの送受信を行えるように構成されている。
【００２１】
次に、ＲＡＭリード・ライト装置７によるＲＡＭ値の読み出し機能について説明すると、まずＲＡＭリード・ライト装置７の入力部で、ＲＡＭ３の読み出したいＲＡＭ３のアドレスを指定する。すると、ＲＡＭリード・ライト装置７は給湯器制御装置２に指定したＲＡＭアドレスを送信する。給湯器制御装置２のＣＰＵ６は信号線を介して読み出したいアドレスを受信し、該当するアドレスのＲＡＭ値を信号線を介してＲＡＭリード・ライト装置７へ送信する。ＲＡＭリード・ライト装置７はＲＡＭ値を受信すると、その値を表示部に表示する。
【００２２】
また、指定がない場合は、給湯器制御装置２のＣＰＵ６はあらかじめ決めていた固定アドレスのＲＡＭ値を信号線を介してＲＡＭリード・ライト装置７へ送信する。ＲＡＭリード・ライト装置７はＲＡＭ値を受信すると、その値を表示部に表示する。
【００２３】
次に、ＲＡＭ値の書き換え機能について説明すると、まずＲＡＭリード・ライト装置７の入力部で、ＲＡＭ３の書き換えたいＲＡＭアドレスを指定する。すると、ＲＡＭリード・ライト装置７は給湯器制御装置２に指定したアドレスを送信する。給湯器制御装置２のＣＰＵ６は信号線を介して書き換えたいアドレスを受信し、該当するアドレスのＲＡＭ値を信号線を介してＲＡＭリード・ライト装置７へ送信する。ＲＡＭリード・ライト装置７はＲＡＭ値を受信すると、その値を表示部に表示する。そこで、入力部で書き換えたいＲＡＭ値を指定する。すると、ＲＡＭリード・ライト装置７は給湯器制御装置２に書き換えたいＲＡＭアドレスと書き換えたい値を送信する。給湯器制御装置２のＣＰＵ６は信号線を介して書き換えたいＲＡＭ３のアドレスと書き換えたい値を受信すると、該当するアドレスのＲＡＭ値を指定された値に書き換える。そして、信号線を介してＲＡＭリード・ライト装置７に変更したアドレスと変更後のＲＡＭ値を送信する。ＲＡＭリード・ライト装置７は変更したアドレスと変更後のＲＡＭ値を受信すると、その値を表示部に表示する。以降必要があれば、再度変更したいデータを入力することでＲＡＭ値の書き換えをすることができる。
【００２４】
また、これらのＲＡＭ値読み出し、書き換え機能の使用条件については、図２に示すように、読み出し機能には、条件の制約は無いが、書き換え機能については、ＲＯＭ４内に記憶されているマイコン品番５に所定のキーワードが入っていない場合は、ＲＡＭ書き換え機能は無効となり、ＲＡＭリード・ライト装置７が接続され、変更したいＲＡＭアドレスと変更したい値が設定されていても実際にＲＡＭ３は変更しない。ＲＡＭ書き換え機能を有効にするためには、マイコン品番５に所定のキーワードが入っている必要がある。
【００２５】
マイコン品番５内のＲＡＭ書き換え機能の有効、無効を判断する所定のキーワードとは、図３の例に示すように、評価用プログラムにはマイコン品番の先頭に‘ｐ’  を付け、量産用プログラムには‘ｐ‘を付けない方法や、その他にも評価用にはバージョン管理用に数字やアルファベットを品番の所定の桁に付加し、量産用は所定のバージョン管理用の桁はブランクにする方法や、開発中はワンタイムマイコンなどマスク品以外を使用し、量産試作や量産からマスク品としている場合では、ワンタイムマイコンの品番であれば有効にし、マスク品番ならば無効にするなどで、評価用と量産用を識別することができる。その他にも給湯器制御装置２であらかじめ取り決めた方法でマイコン品番５を記憶しておくことで、ＲＡＭ書き換え機能の有効、無効を切り換えることができる。
【００２６】
（第２の実施形態）
次に、本発明の給湯器制御装置の第２の実施形態について、図４を参照して説明する。なお、以下の実施形態のでは、上記第１の実施形態と同一の構成要素について同一参照符号を付して説明を省略し、主として相違点についてのみ説明する。
【００２７】
本実施形態の第１の実施形態と異なる点は、ＲＡＭ書き換え機能を有効にする方法を入力手段からの操作とした点であり、給湯器制御装置２内に入力手段８が配置されている。
【００２８】
次に、動作、作用を説明すると、給湯器制御装置２に配置された、書き換え有効・無効の入力手段８にてＲＡＭ値書き換えを有効とする操作を行うと、ＲＡＭリード・ライト装置７からＲＡＭ３のＲＡＭ値を書き換える機能を有効にすることができる。また、再度操作を行うと、ＲＡＭ値を書き換える機能を無効にすることができる。
【００２９】
（第３の実施形態）
次に、本発明の給湯器制御装置の第３の実施形態について、図５を参照して説明する。
【００３０】
本実施形態の第１の実施形態と異なる点は、ＲＡＭ書き換え機能を有効にする方法をリモコンの入力手段からの操作とした点であり、入力手段を備えたリモコン９を備えている。
【００３１】
次に、動作、作用を説明すると、入力手段を備えたリモコン９にてＲＡＭ値書き換えを有効とする操作を行うと、ＲＡＭリード・ライト装置７からＲＡＭ３のＲＡＭ値を書き換える機能を有効にすることができる。また、再度操作を行うと、ＲＡＭ値を書き換える機能を無効にすることができる。
【００３２】
（第４の実施形態）
次に、本発明の給湯器制御装置の第４の実施形態について、図６を参照して説明する。
【００３３】
本実施形態の第１の実施形態と異なる点は、ＲＡＭ値書き換え機能を有効にする方法を、ＲＡＭ値書き換え装置７に設けた入力手段からの操作とした点であり、ＲＡＭ値書き換え装置７内にＲＡＭ値書き換えを有効にする入力手段１０を設けている。
【００３４】
次に動作、作用を説明すると、ＲＡＭリード・ライト装置７に配置された入力手段１０にてＲＡＭ書き換えを有効とする操作を行うと、ＲＡＭリード・ライト装置７からＲＡＭ３のＲＡＭ値を書き換える機能を有効にすることができる。また、再度操作を行うと、ＲＡＭ値を書き換える機能を無効にできる。
【００３５】
（第５の実施形態）
次に、本発明の給湯器制御装置の第５の実施形態について、図７を参照して説明する。
【００３６】
本実施形態の第１の実施形態と異なる点は、ＲＡＭ書き換え機能を有効にする方法を、電源投入時から所定時間経過までをＲＡＭ値書き換え有効とし、所定時間経過後はＲＡＭ値書き換えを無効とする点であり、給湯器制御装置２内にＲＡＭ値書き換え有効とする所定時間を、電源投入時から計測するタイマ手段１１が設けられている。
【００３７】
次に動作、作用を説明すると、給湯器制御装置２に電源が投入されると、タイマ手段１１で時間を計測し、所定時間経過まではＲＡＭ値書き換えを有効とし、所定時間経過後はＲＡＭ値書き換えを無効となる。
【００３８】
【発明の効果】
本発明の請求項１に係る給湯器制御装置によれば、バージョン管理用に設けたマイコン品番を利用することで、商品開発の段階ではマイコン品番に所定のキーワードの入った品番を記憶しているため、ＲＡＭ値書き換え機能を活用することで開発や評価を効率良く行うことができる。また、商品を市場へ出荷する量産品を作る際には、マイコン品番を量産用の名称に変更することで、ＲＡＭ書き換え機能のプログラムの削除を行わなくともＲＡＭ書き換え機能を使用できないようにすることができる。よって、変更作業による手間が不要であり、またプログラム変更による確認作業も発生しないという効果がある。
【００３９】
また、請求項２、３、４に係る給湯器制御装置によれば、入力手段にてＲＡＭ書き換えを有効とすることで、ＲＡＭ書き換え機能をマイコン品番に関わらずに有効、無効と切り換えることができるので、必要な期間だけＲＡＭ書き換え機能を有効にすることができる。
【００４０】
また、請求項５係る給湯器制御装置によれば、ＲＡＭ書き換え機能をマイコン品番に関わらずに電源投入から一定期間だけ有効としたもので、長期間使用されている場合にはＲＡＭ書き換えはいずれ無効になるという安心感がある。
【図面の簡単な説明】
【図１】本発明の第１の実施形態における給湯器の構成図である。
【図２】同実施形態の給湯器制御装置のＲＡＭ値書き換え機能に関する制御フロー図である。
【図３】同実施形態の給湯器制御装置のマイコン品番の例の説明図である。
【図４】本発明の第２の実施形態における給湯器の構成図である。
【図５】本発明の第３の実施形態における給湯器の構成図である。
【図６】本発明の第４の実施形態における給湯器の構成図である。
【図７】本発明の第５の実施形態における給湯器の構成図である。
【符号の説明】
１  給湯器
２  給湯器制御装置
３  ＲＡＭ
４  ＲＯＭ
５  ＲＯＭ内に記述されたマイコン品番
６  ＣＰＵ
７  ＲＡＭリード・ライト装置
８  入力手段
９  リモコン
１０  入力手段
１１  タイマ手段
【図１】
2004169979.tif 000003
【図２】
2004169979.tif 000004
【図３】
2004169979.tif 000005
【図４】
2004169979.tif 000006
【図５】
2004169979.tif 000007
【図６】
2004169979.tif 000008
【図７】
2004169979.tif 000009